(57)【特許請求の範囲】
【請求項１】
筐体の前面に、直管蛍光灯の一対のランプピンが挿入される略円形状の開口部と、開口部に連通したランプピン挿入溝とが設けられ、筐体の開口部内にはランプピンをガイドするガイド溝を備えた回転子と、ランプピンに接続されるランプピン接続端子とが配設され、上記ランプピン挿入溝から回転子のガイド溝に挿入されたランプピンを回転子と共に回転させることにより、ランプピンがランプピン接続端子に接続される直管蛍光灯ソケットにおいて、上記筐体の開口部の前端側に開口部よりも大径となった環状溝が形成され、上記回転子のガイド溝の両側に一対の略半円形状の前面板状部が形成され、回転子の前面板状部の外径を上記開口部より大径にしてその外周端部を上記環状溝に回転自在に収納すると共に、回転子の前面板状部を筐体の前面と略面一に形成し、上記筐体は、ボディと、回転子取付け部を有するカバーとから成り、上記回転子は、一対の半割れ筒状部と、各半割れ筒状部の前面に一体形成された一対の前面板状部とから成り、一対の半割れ筒状部間にランプピンをガイドするためのガイド溝が形成されていると共に、各半割れ筒状部の内周面に突起部が突設されると共に突起部の後端面はテーパ面となっており、上記回転子取付け部の外周面に上記突起部が係合可能な環状凹所が形成されており、回転子の半割れ筒状部をカバーの回転子取付け部に押し込むことで、突起部が環状凹所に係止されて抜け止めされるようにしたことを特徴とする直管蛍光灯ソケット。
【請求項２】
筐体の前面下部に直管蛍光灯装着ガイド用の傾斜面を設けたことを特徴とする請求項１記載の直管蛍光灯ソケット。
【請求項３】
筐体の上端面と開口部の間に第１の筐体取付け部を設けたことを特徴とする請求項１記載の直管蛍光灯ソケット。
【請求項４】
筐体の側端面と開口部の間に第２の筐体取付け部を設けたことを特徴とする請求項１記載の直管蛍光灯ソケット。
【発明の詳細な説明】
【０００１】
【発明の属する技術分野】
この発明は、直管蛍光灯ソケットに関するものである。
【０００２】
【従来の技術】
従来より、例えば特公昭６３−２９３９２号公報には、ソケット本体内部に回転子（案内筒）を収納すると共に、この回転子をソケット裏板に嵌合させ、直管蛍光灯のランプピンをランプピン挿入溝から回転子のガイド溝内に挿入した後にランプピンを回転子と共に回転させることにより、ランプピンをランプピン接続端子に接触させるようにした回転子内蔵型のソケットが開示されている。
【０００３】
しかしながら、この従来例では、回転子がソケット内部に隠れて外部からは回転子の存在を確認できず、このためランプ装着時に、例えば突き合わせ方式のソケットと間違えて、ランプピンの先端で回転子を押してしまう恐れがある。この場合、ランプピンからの力がソケット本体とソケット裏板とを係合させるための係合片に加わってソケット裏板が外れて、破損する恐れがあった。
【０００４】
そこで、他の従来例として、例えば特開平７−１２２３３８号公報、特開平８−１６７４５９号公報には、ソケットを筐体で構成し、この筐体の前面に設けた円形状の開口部に回転子を収納すると共に、回転子の前面に設けたフランジ部を開口部の外側に突出させて、突き合わせ方式のソケットと間違えないように配慮した回転子露出型のソケットが知られている。
【０００５】
【発明が解決しようとする課題】
ところが、後者の回転子露出型のソケットにあっては、ランプ装着時において以下のような問題がある。つまり図１８に示すように、ランプ長さのばらつきを吸収するために、通常、一対のソケットＡ′の前面間の長さＬをランプ長さと同等かもしくはそれ以下に設定してある。ここで、ソケット９′のフランジ部５１が筐体１の前面１ａ下端まで延びていると、図１９に示すように、ランプピン挿入時に口金３がソケット９′のフランジ部５１に引っ掛かり、ソケット９′に強い力が加わってフランジ部５１が折れ、ソケット９′が破損する恐れがある。
【０００６】
一方、図２０に示すように、ソケット９′のフランジ部５１が筐体１の前面１ａ下端にまで延びていない場合は、ランプピン挿入時のソケット９′を破損を回避できるが、しかしながら、ランプの口金３の端面には通常、カエリ６０があり、このカエリ６０の内径がソケット９′の前面部の径より大きいと、ランプを取外す際に筐体１の前面１ａより突出しているソケット９′のフランジ部５１にカエリ６０が引っ掛かり、このためランプが抜けなくなり、強い力を加えるとソケット９′が破損する恐れがあった。
【０００７】
本発明は、上記従来例に鑑みてなされたもので、ソケットの破損防止を図りながら、直管蛍光灯の取付け、取外しをスムーズに行なうことができる直管蛍光灯ソケットを提供することを課題とし、また、筐体のコンパクト化を図りながら筐体の取付け性を向上させることができる直管蛍光灯ソケットを提供することを課題とする。
【０００８】
【課題を解決するための手段】
上記課題を解決するために、本発明は、筐体１の前面に、直管蛍光灯２の一対のランプピン４が挿入される略円形状の開口部５と、開口部５に連通したランプピン挿入溝６とが設けられ、筐体１の開口部５内にはランプピン４をガイドするガイド溝７を備えた回転子９と、ランプピン４に接続されるランプピン接続端子８とが配設され、上記ランプピン挿入溝６から回転子９のガイド溝７に挿入されたランプピン４を回転子９と共に回転させることにより、ランプピン４がランプピン接続端子８に接続される直管蛍光灯ソケットにおいて、上記筐体１の開口部５の前端側に開口部５よりも大径となった環状溝１２が形成され、上記回転子９のガイド溝７の両側に一対の略半円形状の前面板状部１０が形成され、回転子９の前面板状部１０の外径を上記開口部５より大径にしてその外周端部１０ａを上記環状溝１２に回転自在に収納すると共に、回転子９の前面板状部１０を筐体１の前面１ａと略面一に形成したことを特徴としており、このように構成することで、直管蛍光灯２の装着時に、筐体１の前面１ａと略面一となった回転子９の前面板状部１０に直管蛍光灯２が引っ掛かる恐れがなく、ソケットＡの破損防止が図られる。また直管蛍光灯２を取外す際に、直管蛍光灯２の口金３にカエリがあっても、このカエリが回転子９の前面板状部１０に引っ掛る恐れもないので、ソケットＡの破損防止を図りながら、スムーズな取外しができるようになる。
また上記筐体１は、ボディ１７と、回転子取付け部２０を有するカバー１８とから成り、上記回転子９は、一対の半割れ筒状部１１と、各半割れ筒状部１１の前面１ａに一体形成された一対の前面板状部１０とから成り、一対の半割れ筒状部１１１１間にランプピン４をガイドするためのガイド溝７が形成されていると共に、各半割れ筒状部１１の内周面に突起部１１ｂが突設されると共に突起部１１ｂの後端面はテーパ面となっており、回転子取付け部２０の外周面に上記突起部１１ｂが係合可能な環状凹所２０ｂが形成されており、回転子９の半割れ筒状部１１をカバー１８の回転子取付け部２０に押し込むことで、突起部１１ｂが環状凹所２０ｂに係止されて抜け止めされるようにしたことを特徴としており、このように構成することで、回転子９を筐体１に取付けるにあたって、回転子９の半割れ筒状部１１をカバー１８の回転子取付け部２０に押し込むだけで、半割れ筒状部１１に設けた突起部１１ｂが回転子取付け部２０に設けた環状凹所２０ｂに係止されて抜け止めされるので、回転子９を回転子取付け部２０に対して容易にしかも確実に係止でき、ソケットの組立て作業が一層はかどる。さらに言えば、直管蛍光灯２の装着時に、ランプピン４の先端で誤って回転子９の前面板状部１０を押した場合でも、その力は筐体１のボディ１７で受け止められる。つまり、回転子９の前面板状部１０はその外周端部１０ａがボディ１７の環状溝１２で支持されているので、カバー１８には押す力が加わらず、従って、ボディ１７とカバー１８とが分解する恐れがない。そのうえ回転子９の半割れ筒状部１１は突起部１１ｂと環状凹所２０ｂとを介してカバー１８の回転子取付け部２０に係止されており、前面板状部２０は上記のようにボディ１７の環状溝１２に係止されているので、回転子９を介してボディ１７とカバー１８とがより強く係止されることとなり、ボディ１７とカバー１８との分解防止に一層効果的となる。
【０００９】
ここで、上記筐体１の前面１ａ下部に直管蛍光灯２装着ガイド用の傾斜面１３を設けるのが好ましく、この場合、直管蛍光灯２が筐体の前面１ａ下部に引っ掛かるのを防止でき、ランプピン４を回転子９のガイド溝７にスムーズに挿入できるようになる。
上記筐体１の上端面１ｂと開口部５の間に第１の筐体取付け部１４を設けるのが好ましく、この場合、第１の取付け部１４が筐体１の外側に突出するのを防止でき、筐体１のコンパクト化を図ることができる。
【００１０】
上記筐体１の側端面１ｃと開口部５の間に第２の筐体取付け部１５を設けるのが好ましく、この場合、第２の取付け部１５が筐体１の外側に突出するのを防止できで、筐体１のコンパクト化を図ることができる。
【００１１】
【発明の実施の形態】
以下、本発明の実施形態の一例を説明する。
直管蛍光灯ソケットＡを構成する筐体１は、図２に示すように、直管蛍光灯２のランプ外径と略同等の外径、幅及び高さを有しており、裏面が開放された略箱状のボディ１７と、このボディ１７の裏面を覆うカバー１８とから成り、ボディ１７とカバー１８の外周端部を嵌め合わせた状態でボディ１７の上端面に設けた係止孔１７ａにカバー１８の上端面に設けた突起１８ａを係合させることによって、ボディ１７とカバー１８とが一体化される。
【００１２】
ボディ１７の前面には、直管蛍光灯２の一対のランプピン４の幅よりもやや大径の略円形状の開口部５が設けられていると共に、開口部５の下部には開口部５に連通するランプピン挿入溝６が設けられている。開口部５の前端縁には開口部５よりも大径となった環状溝１２が形成されており、この環状溝１２に後述の回転子９の前面板状部１０の外周端部１０ａが回転自在に収納されるようになっている。また、ボディ１７の前面下部には直管蛍光灯２の装着時のガイド用の傾斜面１３が設けられており、この傾斜面１３によって、直管蛍光灯２の口金３を筐体１の前面１ａにスムーズに装着できるようにしてある。一方、カバー１８の前面には、回転子９を回転自在に支持するための一対の半割れ筒状の回転子取付け部２０が突設されている。この回転子取付け部２０の大きさはボディ１７の開口部５よりも小さく形成され、これにより回転子取付け部２０の外周面と該開口部５の内周面との間には回転子９を収納するための環状スペースが形成される。この回転子取付け部２０の中央部にはランプピン４が通過可能な溝部２０ａが形成されており、この溝部２０ａの一端はランプピン挿入溝６に連通している。
【００１３】
筐体１の開口部５内には、直管蛍光灯２のランプピン４をランプピン接続端子８にガイドするための回転子９が回転自在に配設されている。回転子９は、上記カバー１８に設けた回転子取付け部２０に回転自在に支持される一対の半割れ筒状部１１と、各半割れ筒状部１１の前面１ａに一体形成された一対の前面板状部１０とから成る。一対の半割れ筒状部１１の後端部は連結片を介して一体に繋がっていると共に、半割れ筒状部１１間から前面板状部１０間に亘ってランプピン４をガイドするためのガイド溝７が形成されている。各半割れ筒状部１１の内周面には、図３に示すように、内向きつば状の突起部１１ｂが突設されており、回転子取付け部２０の外周面には上記突起部１１ｂが係合可能な環状凹所２０ｂが形成されている。この突起部１１ｂの後端面はテーパ面となっており、回転子取付け部２０の環状凹所２０ｂ内に突起部１１ｂが挿入し易くしてある。
【００１４】
また、上記回転子９の一対の前面板状部１０は、図１に示すように、開口部５と近似した外形を有しており、開口部５は前面板状部１０によって覆われている。一対の前面板状部１０の外径は前記筐体１の開口部５よりやや大径に設定されており、その外周端部１０ａが前記開口部５の前端に設けた環状溝１２に回転自在に収納されている。環状溝１２は、回転子９の前面板状部１０と筐体１の前面１ａとが略面一となるように、回転子９の前面板状部１０の厚みと略同等或いはそれ以上の深さを有している。ここで略面一とは、回転子９の前面板状部１０が筐体１の前面１ａと面一である場合と、回転子９の前面板状部１０を筐体１の前面１ａより僅かに凹ませた場合（筐体１の前面１ａを回転子９の前面板状部１０よりもランプ側に僅かに突出させた場合）の両方を含むものとする。本実施形態では、筐体１の前面１ａを回転子９の前面板状部１０よりもランプ側に僅かに突出させてある。尚図１中の８０は電検孔である。
【００１５】
また、上記筐体１内部には、図２に示すように、ランプピン４の保持とランプピン４への給電を行なうための一対の略円弧状をした接触片２１が配設されている。各接触片２１の中央部には、一対のランプピン４を外側から挟持してランプピン４に接続される一対のランプピン接続端子８が設けられている。また各接触片２１の上端部には、電線挿入口（図示せず）と電線を係止する係止片（図示せず）とを備えた速結端子式の電線接続端子２２が夫々設けられている。そして、電線が筐体１の上端面１ｂに設けた電線挿入孔２３から電線接続端子２２の電線挿入口に押し込まれると係止片が電線に係止して結線状態となり、ランプピン接続端子８を介してランプピン４への給電が行なわれるようになり、一方、筐体１の上端面１ｂに設けた電線解除孔２４からピンなどの工具を挿入して係止片２２ｂを押すことによって電線との結線状態を解除できるようになっている。尚、速結端子式の電線接続端子２２として、例えば略ム字状の錠バネを用いたものであってもよい。
【００１６】
さらに、上記筐体１の両外側端面１ｃ，１ｃには、図４〜図６に示すように、一対の支柱状の取付け部２５が突設されている。この実施形態では、各取付け部２５の基端部がボディ１７に一体形成され、先端部はカバー１８の背後側に突出しており、その先端に設けたフック片２５ａが取付け板ばね３０の係止孔３０ａに夫々係合しており、これにより筐体１を取付け板ばね３０に対して簡易に取付け可能となっている。この取付け板ばね３０は、例えば照明器具本体の長さ方向の両端部に設けたプレート部材（図示せず）に固定されるものである。
【００１７】
しかして、上記筐体１に対して直管蛍光灯２を装着するにあたっては、先ず図７に示すように、回転子９のガイド溝７の一端をランプピン挿入溝６に合わせた状態で、ランプピン挿入溝６の下方から直管蛍光灯２のランプピン４をガイド溝７内に挿入し、その後ランプピン４を図８の矢印方向のいずれか一方に約９０°回転させると、回転子９がランプピン４と共回りして、図９に示すように、各ランプピン４を両側のランプピン接続端子８に夫々接触させることができる。この状態で各ランプピン４は両側のランプピン接続端子８によって外側から挟持され、ランプピン４を回り止めされると同時に、ランプピン４とランプピン接続端子８とが電気的に接続される。
【００１８】
このとき、ランプ長さのばらつきを吸収するために、一対の直管蛍光灯ソケットＡ，Ａの前面間の長さをランプ長さと同等かもしくはそれ以下に設定した場合であっても、図３（ｂ）のように回転子９の前面板状部１０は筐体１の前面１ａよりも少し凹ませてあるので、直管蛍光灯２の口金３が回転子９の前面板状部１０に引っ掛かる恐れがなく、従って、筐体１や回転子９に強い力が加わることがなくなり、ソケットＡの破損防止を図ることができる。しかも、筐体１のボディ１７の前面１ａ下部には傾斜面１３が設けられているので、直管蛍光灯２の口金３が筐体１の前面１ａ下部に引っ掛からず、ランプピン４をランプピン挿入溝６内にスムーズに挿入できるので、直管蛍光灯２の装着性が一層良くなる。しかも直管蛍光灯２の装着性を良くするための傾斜面１３は筐体１のボディ１７側のみに設けられており、カバー１８には設けられないので、筐体１の金型構造が複雑になるのを極力防止できるという利点がある。
【００１９】
さらに、回転子９の前面板状部１０が筐体１の前面１ａに露出しているので、外部から回転子９の存在が一目で分かり、直管蛍光灯２の装着時に、例えば突き合わせ方式のソケットと間違えて、ランプピン４の先端で回転子９を押してしまう恐れもない。また仮りに誤ってランプピン４の先端で回転子９の前面板状部１０を押した場合でも、その力は筐体１のボディ１７で受け止められる。つまり、回転子９の前面板状部１０はその外周端部１０ａがボディ１７の環状溝１２で支持されているので、カバー１８には押す力が加わらず、従って、ボディ１７とカバー１８とが分解する恐れがない。そのうえ回転子９の半割れ筒状部１１は突起部１１ｂと環状凹所２０ｂとを介してカバー１８の回転子取付け部２０に係止されており、前面板状部２０は上記のようにボディ１７の環状溝１２に係止されているので、回転子９を介してボディ１７とカバー１８とがより強く係止されることとなり、ボディ１７とカバー１８との分解防止に一層効果的となる。
【００２０】
一方、直管蛍光灯２を取外す際には、直管蛍光灯２を図１０の矢印方向のいずれか一方に約９０°回転させることにより、図１０及び図１１に示すように、ランプピン挿入溝６からランプピン４を抜き取ることができる。このとき図１０（ａ）に示すように、直管蛍光灯２の口金３にカエリ６０があっても、回転子９の前面板状部１０は筐体１の前面１ａよりも少し凹ませてあるので、カエリ６０が回転子９の前面板状部１０に引っ掛る恐れがなく、ソケットＡの破損防止を図りながらランプピン４をスムーズに抜き取ることができるものである。
【００２１】
また本実施形態では、回転子９を筐体１に取付けるにあたって、回転子９の半割れ筒状部１１をカバー１８の回転子取付け部２０に押し込むだけで、半割れ筒状部１１に設けた突起部１１ｂが回転子取付け部２０に設けた環状凹所２０ｂに係止されて抜け止めされる。しかも突起部１１ｂの後端面はテーパ面となっているため、回転子取付け部２０の環状凹所２０ｂ内に係止し易くしなり、従って、回転子９を回転子取付け部２０に対して容易にしかも確実に係止できるようになり、ソケットの組立て作業が一層はかどる。
【００２２】
図１２〜図１７は本発明の他の実施形態を示している。筐体１の基本構造は前記図１〜図３の構造と同様である。図１２及び図１３に示すように、筐体１の上端面１ｂと開口部５の間には第１の筐体取付け部１４が設けられており、筐体１の両側の側端面１ｃと開口部５の間には第２の筐体取付け部１５が設けられている。
【００２３】
第１の筐体取付け部１４は、ボディ１７に設けたネジ孔１４ａと、カバー１８に設けたネジ孔１４ｂとから成り、カバー１８側のネジ孔１４ｂには取付け板ばね３０に設けた位置決め凸部３１（図１４）が嵌合する位置決め凹部３２（図１３）が形成されている。カバー１８の裏面の略中央には回転止め用凸部３６が突設されている。一方、第２の筐体取付け部１５は、ボディ１７の左右両側端部に設けた一対のかしめ取付け用の凹み部３３から成る。そして、第１の筐体取付け部１４はネジ４０を用いて取付け板ばね３０に取付けられるものであり、第２の筐体取付け部１５はかしめによって取付け板ばね３０に取付けられるものである。
【００２４】
先ず、筐体１をかしめによって取付け板ばね３０に取付ける場合を説明すると、図１４に示すように、取付け板ばね３０の中央上部に位置決め凸部３１が突設され、取付け板ばね３０の中央の両側部からは前方に向かって一対の係止片３６が突設されている。そして、筐体１のカバー１８に設けたスリット状の位置決め凹部３２（図１３）を取付け板ばね３０の位置決め凸部３１に挿入するようにしてカバー１８を取付け板ばね３０に重ねて位置決めした後に、図１５に示すように、一対の係止片３６で筐体１の両側面を抱えるようにしてフック３６ａをボディ１７の凹み部３３に挿入して、係止片３６をかしめることによって筐体１を取付け板ばね３０に対して容易に固定することができる。
【００２５】
一方、筐体１をネジ４０を用いて取付け板ばね３０に固定する場合を説明すると、図１６に示すように、取付け板ばね３０の中央上部にはタップが切られたネジ孔４１が形成され、その下方に回転止め用孔部３５が穿設されている。そして、筐体１のカバー１８に設けた回転止め用凸部３６（図１３）を取付け板ばね３０の回転止め用孔部３５に挿入すると共に、筐体１のネジ孔１４ａ，１４ｂと取付け板ばね３０のネジ孔４１とを合わせて、筐体１の前方からネジ４０を挿入して取付け板ばね３０のネジ孔４１に締め付けることにより、筐体１を取付け板ばね３０に容易に固定することができる。
【００２６】
上記のように、各筐体取付け部１４，１５は筐体１の上端面１ｂと開口部５の間、及び筐体１の両側端部１ｃと開口部５の間に夫々設けられており、筐体１の外側にはみ出していないので、筐体１の大きさをコンパクト化でき、この結果、ソケットの金型構造の簡略化を図ることができるようになる。また筐体１の上端面１ｂと開口部５の間にネジ孔１４ａ，１４ｂを設けたり、或いは筐体１の側端面１ｃと開口部５の間にかしめ取付け用の凹み部３３を設けた場合でも、回転子９の前面板状部１０は筐体１の開口部５よりやや大径に形成されていて、回転子９の前面板状部１０がネジ孔１４ａ，１４ｂや凹み部３３に被さることがないので、筐体１の取付けを支障なく行なうことができるという利点もある。
【００２７】
【発明の効果】
以上説明したように、本発明のうち請求項１記載の発明は、筐体の前面に、直管蛍光灯の一対のランプピンが挿入される略円形状の開口部と、開口部に連通したランプピン挿入溝とが設けられ、筐体の開口部内にはランプピンをガイドするガイド溝を備えた回転子と、ランプピンに接続されるランプピン接続端子とが配設され、上記ランプピン挿入溝から回転子のガイド溝に挿入されたランプピンを回転子と共に回転させることにより、ランプピンがランプピン接続端子に接続される直管蛍光灯ソケットにおいて、上記筐体の開口部の前端側に開口部よりも大径となった環状溝が形成され、上記回転子のガイド溝の両側に一対の略半円形状の前面板状部が形成され、回転子の前面板状部の外径を上記開口部より大径にしてその外周端部を上記環状溝に回転自在に収納すると共に、回転子の前面板状部を筐体の前面と略面一に形成したから、直管蛍光灯の装着時に、直管蛍光灯の口金が回転子の前面板状部に引っ掛かる恐れがなく、従って、筐体や回転子に強い力が加わることがなくなり、ソケットの破損防止を図ることができる。しかも回転子の前面板状部が筐体の前面に露出しているので、外部から回転子の存在が一目で分かり、直管蛍光灯の装着時に、例えば突き合わせ方式のソケットと間違えて、ランプピンの先端で回転子を押してしまう恐れもない。さらに、直管蛍光灯を取外す際に、たとえ直管蛍光灯の口金にカエリがあっても、このカエリが回転子の前面板状部に引っ掛る恐れもないので、ソケットの破損防止を図りながら、スムーズな取外しができるようになる。
さらに請求項１記載の発明は、上記筐体は、ボディと、回転子取付け部を有するカバーとから成り、上記回転子は、一対の半割れ筒状部と、各半割れ筒状部の前面に一体形成された一対の前面板状部とから成り、一対の半割れ筒状部間にランプピンをガイドするためのガイド溝が形成されていると共に、各半割れ筒状部の内周面に突起部が突設されると共に突起部の後端面はテーパ面となっており、上記回転子取付け部の外周面に上記突起部が係合可能な環状凹所が形成されており、回転子の半割れ筒状部をカバーの回転子取付け部に押し込むことで、突起部が環状凹所に係止されて抜け止めされるようにしたので、回転子を筐体に取付けるにあたって、回転子の半割れ筒状部をカバーの回転子取付け部に押し込むだけで、半割れ筒状部に設けた突起部が回転子取付け部に設けた環状凹所に係止されて抜け止めされるので、回転子を回転子取付け部に対して容易にしかも確実に係止でき、ソケットの組立て作業が一層はかどる。さらに言えば、直管蛍光灯の装着時に、ランプピンの先端で誤って回転子の前面板状部を押した場合でも、その力は筐体のボディで受け止められる。つまり、回転子の前面板状部はその外周端部がボディの環状溝で支持されているので、カバーには押す力が加わらず、従って、ボディとカバーとが分解する恐れがない。そのうえ回転子の半割れ筒状部は突起部と環状凹所とを介してカバーの回転子取付け部に係止されており、前面板状部は上記のようにボディの環状溝に係止されているので、回転子を介してボディとカバーとがより強く係止されることとなり、ボディとカバーとの分解防止に一層効果的となる。
【００２８】
また請求項２記載の発明は、請求項１記載の効果に加えて、筐体の前面下部に直管蛍光灯装着ガイド用の傾斜面を設けたから、直管蛍光灯が筐体の前面下部に引っ掛かるのを防止でき、ランプピンを回転子のガイド溝にスムーズに挿入できるようになり、直管蛍光灯の装着性が一層良くなる。
また請求項３記載の発明は、請求項１記載の効果に加えて、筐体の上端面と開口部の間に第１の筐体取付け部を設けたから、第１の取付け部が筐体の外側に突出するのを防いで、筐体のコンパクト化を図ることができ、ソケットの金型構造を簡略化することが容易となる。
【００２９】
また請求項４記載の発明は、請求項１記載の効果に加えて、筐体の側端面と開口部の間に第２の筐体取付け部を設けたから、第２の取付け部が筐体の外側に突出するのを防いで、筐体のコンパクト化を図ることができ、ソケットの金型構造を簡略化することが容易となる。
【図面の簡単な説明】
【図１】本発明の実施形態の一例を示す斜視図である。
【図２】同上の分解斜視図である。
【図３】（ａ）は筐体の正面図、（ｂ）は（ａ）のＤ−Ｄ線断面図である。
【図４】同上の筐体を背後から見た斜視図である。
【図５】同上の筐体を取付け板ばねに取付けた状態を前から見た斜視図である。
【図６】同上の筐体を取付け板ばねに取付けた状態を背後から見た斜視図である。
【図７】（ａ）（ｂ）は直管蛍光灯の装着動作を説明する側面図及び正面図である。
【図８】（ａ）（ｂ）は直管蛍光灯の装着動作を説明する側面図及び正面図である。
【図９】（ａ）（ｂ）は直管蛍光灯の装着状態の側面図及び正面図である。
【図１０】（ａ）（ｂ）は直管蛍光灯の取外し動作を説明する側面図及び正面図である。
【図１１】（ａ）（ｂ）は直管蛍光灯の取外し状態の側面図及び正面図である。
【図１２】本発明の他の実施形態の斜視図である。
【図１３】同上の筐体を背後から見た斜視図である。
【図１４】同上の分解斜視図である。
【図１５】同上のかしめ取付け状態の斜視図である。
【図１６】同上の分解斜視図である。
【図１７】同上のネジ取付け状態の斜視図である。
【図１８】従来の直管蛍光灯ソケットの説明図である。
【図１９】（ａ）は直管蛍光灯の装着動作を説明する側面図、（ｂ）は回転子と口金の衝突状態の説明図である。
【図２０】（ａ）（ｂ）はカエリと回転子の衝突状態の説明図である。
【符号の説明】
１  筐体
１ａ  前面
１ｂ  上端面
２  直管蛍光灯
４  ランプピン
５  開口部
６  ランプピン挿入溝
７  ガイド溝
８  ランプピン接続端子
９  回転子
１０  前面板状部
１０ａ  外周端部
１２  環状溝
１３  傾斜面
１４  第１の筐体取付け部
１５  第２の筐体取付け部
【図１】
0003707185.tif 000002
【図２】
0003707185.tif 000003
【図３】
0003707185.tif 000004
【図４】
0003707185.tif 000005
【図５】
0003707185.tif 000006
【図６】
0003707185.tif 000007
【図７】
0003707185.tif 000008
【図８】
0003707185.tif 000009
【図９】
0003707185.tif 000010
【図１０】
0003707185.tif 000011
【図１１】
0003707185.tif 000012
【図１２】
0003707185.tif 000013
【図１３】
0003707185.tif 000014
【図１４】
0003707185.tif 000015
【図１５】
0003707185.tif 000016
【図１６】
0003707185.tif 000017
【図１７】
0003707185.tif 000018
【図１８】
0003707185.tif 000019
【図１９】
0003707185.tif 000020
【図２０】
0003707185.tif 000021